(57)【特許請求の範囲】
【請求項１】
壁裏の造営材に取り付けるための造営材取付部と、配線器具を取り付けるための配線器具取付部を有し造営材取付部から連設される連設部と、造営材取付部及び連設部に囲まれる開口部とで大略枠状をなす取付部材本体を構成し、取付部材本体に前後方向に貫通した切り欠きである被取着部を設けると共に、保持する電線管の種類又は径又は本数に応じた複数種類の管保持部に被取着部に前方より嵌め込み引き出し可能な取着部を設け、前記複数種類のうちの任意の管保持部に設けた取着部を取付部材本体に設けた被取着部に着脱することで管保持部を取付部材本体に着脱自在に取り付けて成ることを特徴とする配線器具取付部材。
【請求項２】
取付部材本体の開口部の背面側に背面カバーを設けて成ることを特徴とする請求項１記載の配線器具取付部材。
【請求項３】
取付部材本体に設けた前面視台形状の前後方向に貫通した切り欠きからなる被取着部に背面カバーを着脱自在とする前記切り欠きと同形状のカバー取付部を背面カバーに設けて成ることを特徴とする請求項２記載の配線器具取付部材。
【請求項４】
管保持部に取付部材本体に対してスライド嵌入自在なスライド部を突設して取着部を形成すると共にリブを設け、取付部材本体に前記スライド部がスライド嵌入される嵌入凹部を前方側より切欠することでその底面がスライド部の後端部が当接する底面部となる被取着部を形成し、被取着部に取着した取着部がスライド方向に移動して抜けるのを防止するため取付部材本体の前記底面部を前面とする底壁部をリブとスライド部の後端部とで両側より挟持する挟持部を脱落規制部として管保持部に設けて成ることを特徴とする請求項１乃至３のいずれかに記載の配線器具取付部材。
【請求項５】
管保持部に形成したスライド方向の先端側の挟持部に該挟持部が取付部材本体の挟持する部分を乗り越え易くするための傾斜誘導部を設けて成ることを特徴とする請求項４記載の配線器具取付部材。
【請求項６】
被取着部に取着された管保持部を取り外すためのドライバ等の工具が管保持部と取付部材本体との間に前方から挿入可能な取外し用溝を管保持部又は取付部材本体に穿設して成ることを特徴とする請求項４又は５記載の配線器具取付部材。
【請求項７】
スライド方向が取着される取付部材本体の開口部の開口方向となるように取着部が形成された管保持部を複数並列に一体形成し、該一体形成された複数の管保持部のうち少なくとも一管保持部が取付部材本体の外側方に位置し残りの管保持部が取付部材本体の幅内に納まるように位置する時に、前記残りの管保持部に取着部が形成されていると共に該取着部の位置に対応する取付部材本体の上端部又は下端部に被取着部を形成して成ることを特徴とする請求項４乃至６のいずれかに記載の配線器具取付部材。
【請求項８】
前記一管保持部に取着部を形成すると共に、該取着部の位置に対応する、前記取付部材本体に並べられた別体の取付部材本体の上端部又は下端部に被取着部を形成して成ることを特徴とする請求項７記載の配線器具取付部材。
【発明の詳細な説明】
【０００１】
【発明の属する技術分野】
本発明は、壁裏に配設されてある造営材に取り付けて壁開口に配置し、内部に設けてある開口部に配線器具を取り付ける配線器具取付部材に関するものである。
【０００２】
【従来の技術】
従来より、建物の壁開口に配線器具を配設するには、図２２に示すように、配線器具取付部材Ｂを壁開口に配設し、配線器具取付部材Ｂに配線器具Ａを取り付けるという方法がよく採られている。これは、壁開口近傍の壁裏に配設されてある造営材Ｃの側面に配線器具取付部材Ｂを取り付け、壁裏に配設されてある電線管Ｄ内を挿通する電線を配線器具Ａに接続し、この配線器具Ａを配線器具取付部材Ｂの内部に設けてある開口部３’に取り付けることで配線器具Ａを壁開口に配設するものであった。
【０００３】
しかし、上記のような従来の配線器具取付部材Ｂにあっては、電線管Ｄ内を挿通する電線を配線器具Ａに接続したりあるいは配線器具Ａを配線器具取付部材Ｂの開口部３’に取り付けたりする際に、作業の邪魔にならないよう電線管Ｄを保持しておくための管保持部５’が配線器具取付部材Ｂの取付部材本体４’に一体的に設けられていたため、壁裏に配設されてある電線管Ｄの種類，径等にあわせて複数種類の配線器具取付部材Ｂを製造する必要があるという問題があった。
【０００４】
また、管保持部５’が配線器具取付部材Ｂの取付部材本体４’に一体的に設けられていたため、配線器具取付部材Ｂを壁開口に挿入する際、管保持部５’が邪魔になって施工性が悪いという問題もあった。
【０００５】
【発明が解決しようとする課題】
本発明は上記の点に鑑みてなされたものであり、その目的とするところは、壁裏に配設されてある様々な電線管にあわせて複数種類の配線器具取付部材を製造する必要がなく、また、配線器具取付部材を壁開口に挿入する際に、管保持部が邪魔にならず施工性の良い配線器具取付部材を提供することを課題とするものである。
【０００６】
【課題を解決するための手段】
上記課題を解決するために本発明に係る配線器具取付部材は、壁裏の造営材に取り付けるための造営材取付部１と、配線器具を取り付けるための配線器具取付部２１を有し造営材取付部１から連設される連設部２と、造営材取付部１及び連設部２に囲まれる開口部３とで大略枠状をなす取付部材本体４を構成し、取付部材本体４に前後方向に貫通した切り欠きである被取着部４１を設けると共に、保持する電線管の種類又は径又は本数に応じた複数種類の管保持部５に被取着部４１に前方より嵌め込み引き出し可能な取着部５１を設け、前記複数種類のうちの任意の管保持部５に設けた取着部５１を取付部材本体４に設けた被取着部４１に着脱することで管保持部５を取付部材本体４に着脱自在に取り付けて成ることを特徴とするものである。このような構成とすることで、管保持部５を取付部材本体４とは別体として取付部材本体４に着脱自在に取り付けられるため、管保持部５で保持する電線管の種類，径や本数に応じて管保持部５を複数種類製造することで、一種類の取付部材本体４を製造するだけで様々な電線管に対応できて汎用性のある配線器具取付部材とすることができ、また、配線器具取付部材を壁裏の造営材に取り付けて壁開口に配置する際、取付部材本体４と管保持部５とを別々に壁開口に挿入可能となって施工性が良くなるものである。
【０００７】
また、取付部材本体４の開口部３の背面側に背面カバー６を設けることが好ましい。このような構成とすることで、背面カバー６を取付部材本体４の背面に設けて配線器具取付部材を前面側が開口した略箱状とすることができて、配線器具取付部材にボックス機能を具備させることが可能となるものである。
【０００８】
また、取付部材本体４に設けた前面視台形状の前後方向に貫通した切り欠きからなる被取着部４１に背面カバー６を着脱自在とする前記切り欠きと同形状のカバー取付部６１を背面カバー６に設けることが好ましい。このような構成とすることで、背面カバー６のカバー取付部６１を取付部材本体４の被取着部４１に取り付けるだけで、背面カバー６を取付部材本体４の開口部３の背面側に配置できて、必要な場合に容易に配線器具取付部材にボックス機能を具備させることが可能となるものである。
【００１０】
また、管保持部５に取付部材本体４に対してスライド嵌入自在なスライド部５１ｂを突設して取着部５１を形成すると共にリブ７１ａを設け、取付部材本体４に前記スライド部５１ｂがスライド嵌入される嵌入凹部４１ｂを前方側より切欠することでその底面がスライド部５１ｂの後端部５１ｃが当接する底面部４１ｃとなる被取着部４１を形成し、被取着部４１に取着した取着部５１がスライド方向に移動して抜けるのを防止するため取付部材本体４の底面部４１ｃを前面とする底壁部４１ｄをリブ７１ａとスライド部５１ｂの後端部５１ｃとで両側より挟持する挟持部７１を脱落規制部７として管保持部５に設けることが好ましい。このような構成とすることで、スライド部５１ｂを嵌入凹部４１ｂにスライド嵌入して取付部材本体４に着脱自在に取着した状態で、取付部材本体４を挟持部７１で両側より挟持することで管保持部５が脱落するのを規制，防止することが可能となる。
【００１１】
また、管保持部５に形成したスライド方向の先端側の挟持部７１に該挟持部７１が取付部材本体４の挟持する部分を乗り越え易くするための傾斜誘導部７２を設けることが好ましい。このような構成とすることで、スライド部５１ｂを嵌入凹部４１ｂにスライド嵌入していく際に、傾斜誘導部７２によってリブ７１ａを嵌入凹部４１ｂを形成する壁部に容易に乗り上げさせることが可能となる。
【００１２】
また、被取着部４１に取着された管保持部５を取り外すためのドライバ等の工具Ｔが管保持部５と取付部材本体４との間に前方から挿入可能な取外し用溝８を管保持部５又は取付部材本体４に穿設することが好ましい。このような構成とすることで、取付部材本体４に取着された管保持部５を取外す際、ドライバ等の工具Ｔを取外し用溝８に挿入して管保持部５及び取付部材本体４を撓ませて、取付部材本体４を挟持しているリブ７１ａを側端面４１ｅに容易に乗り上げさせることが可能となる。
【００１３】
また、スライド方向が取着される取付部材本体４の開口部３の開口方向となるように取着部５１が形成された管保持部５を複数並列に一体形成し、該一体形成された複数の管保持部５のうち少なくとも一管保持部５ａが取付部材本体４の外側方に位置し残りの管保持部５が取付部材本体４の幅内に納まるように位置する時に、前記前記残りの管保持部５に取着部５１が形成されていると共に該取着部５１の位置に対応する取付部材本体４の上端部又は下端部に被取着部４１を形成することが好ましい。このような構成とすることで、取付部材本体４の外側方に位置する電線管Ｄをこの取付部材本体４より突出する管保持部５ａで保持することが可能となる。
【００１４】
また、前記一管保持部５ａに取着部５１を形成すると共に、該取着部５１の位置に対応する、前記取付部材本体４に並べられた別体の取付部材本体４の上端部又は下端部に被取着部４１を形成することが好ましい。このような構成とすることで、造営材Ｃに取着された取付部材本体４ａに一体成形された複数の管保持部５ａで別の取付部材本体４ｂを連結することが可能となる。
【００１５】
【発明の実施の形態】
本発明の一実施形態について、図１乃至図５に基づいて説明する。本実施形態における配線器具取付部材は、壁裏の造営材に直接取り付ける略枠状の取付部材本体４で主体が構成され、これに加えて、電線管を保持する場合に取付部材本体４に着脱自在に取り付ける管保持部５と、配線器具取付部材にボックス機能を具備させる場合に取付部材本体４に着脱自在に取り付ける背面カバー６とで構成されるものである。
【００１６】
配線器具取付部材の主体を構成する取付部材本体４は、壁開口近傍の壁裏に配設されてある造営材の側面に取り付ける板状の造営材取付部１と、板状の造営材取付部１の上端部及び下端部より連設する前面視略コ字状をした連設部２と、造営材取付部１と連設部２とで囲まれる開口部３とからなる前面視で上下方向に長い矩形の枠状のもので、開口部３に配線器具（図示せず）を配設するものである。
【００１７】
造営材取付部１は、側面視で背方（後方）に転倒した略凸字状をした上下方向に長い板状のもので、その上下方向三箇所には、取付部材本体４を造営材に取り付ける際に固着具（図示せず）を挿通するための前後方向（奥行き方向）に長い取付挿通孔１１が穿設してある。そして、造営材取付部１の上端部及び下端部は、前面視略コ字状をした連設部２の上側の先端部及び下側の先端部とそれぞれ接続されてある。
【００１８】
前面視略コ字状をした連設部２は、上側及び下側の横片２２のそれぞれの中央部内面に、前後方向に長い略円筒状の配線器具取付部２１が突設してあり、この配線器具取付部２１には、配線器具を取り付ける固着具（図示せず）を螺着するねじ孔２１ａが穿設してある。また、上側及び下側の横片２２のそれぞれの外面には、横片２２の長手方向長さの略１／５ほど横片２２の両端より内側に入った位置に、前面視台形状の前後方向に貫通した切り欠きであって管保持部５を取り付けるための被取着部４１が設けてある。
【００１９】
管保持部５は、図１（ｂ）に示すものについて説明すると、平面視で前後方向に短い矩形状をしてその後端辺に半円の凹部５４ａを二箇所設けた保持部本体５２と、保持部本体５２に設けた二箇所の凹部５４ａのそれぞれの二箇所の後端部より連設した爪片５３とで構成され、前記爪片５３は内周が前記凹部５４ａと同径の円弧状となっており、凹部５４ａの円弧状をした内周と該内周の両端より連続する爪片５３の内周とで半周以上の円弧内周を有する管保持孔５４を形成するものである。管保持部５は、その管保持孔５４に電線管を嵌め込んで保持するものであるが、保持する電線管の種類，径，本数に合わせて管保持孔５４の形状，径，管保持孔５４数の異なる複数種類の管保持部５を製造するものである。例えば、図１や図３乃至図５に示すように、電線管の種類についてはＣＤ管用［図１の（ｂ）（ｃ），図３］やＰＦ管用［図４，図５］、径については１４又は１６用［図１の（ｂ）（ｃ），図４］や２２用［図３，図５］、本数については二本用［図１の（ｂ），図３乃至図５それぞれの（ａ）］や一本用［図１の（ｃ），図３乃至図５それぞれの（ｂ）］といったように複数種類の管保持部５を製造するものである。なお、ＰＦ管は耐燃性（自己消火性）の試験に合格した管で、ポリエチレン，ポリプロピレン等を主材とした内管に耐燃性材料の外管を重ねた複層管や単層管であり、ＣＤ管はオレンジ色に着色したポリエチレン，ポリプロピレン等の耐燃性（自己消火性）のない管である。また、保持部本体５２の下面には、管保持部５を取付部材本体４に取り付ける際に取付部材本体４の被取着部４１に対応する位置に、取付部材本体４の被取着部４１の切り欠きと同形状の取着部５１が突設してあり、該取着部５１を取付部材本体４の被取着部４１に嵌め込み引き出しすることで管保持部５を取付部材本体４に着脱自在とするものである。
【００２０】
また、配線器具取付部材にボックス機能を具備させる場合に取付部材本体４の開口部３の背面に取り付ける背面カバー６は、前面視で取付部材本体４の外形とほぼ同じ外形を有して前面と側面の一部が開口した箱状のもので、取付部材本体４の開口部３の背面に取り付けた時に、背面カバー６と取付部材本体４とで前面が開口したボックスを形成するものである。背面カバー６には、背面カバー６を取付部材本体４の開口部３の背面に取り付ける際に取付部材本体４の被取着部４１と対応する位置に、取付部材本体４の被取着部４１の切り欠きと同形状のカバー取付部６１が突設してあり、該カバー取付部６１を取付部材本体４の被取着部４１に嵌め込み引き出しすることで背面カバー６を取付部材本体４に着脱自在とするものである。
【００２１】
以上のような構成の配線器具取付部材を壁開口に配置する施工方法として、まず、壁開口に取付部材本体４を挿入して、壁開口近傍の壁裏に配設されてある造営材の側面に取付部材本体４の造営材取付部１を当接させ、造営材取付部１に穿設した取付挿通孔１１を介してねじ等の固着具を造営材に螺着して取付部材本体４を造営材に取り付け、続いて管保持部５を壁開口に挿入して、管保持部５に設けた取着部５１を取付部材本体４に設けた被取着部４１に嵌め込んで管保持部５を取付部材本体４に取り付ける。
【００２２】
次に、壁裏に配設されてある電線管を管保持部５に形成してある管保持孔５４に嵌め込んで電線管を保持して、電線管内を挿通する電線を引き出して配線器具に接続した後に配線器具に穿設してある固着孔（図示せず）を介してねじ等の固着具を取付部材本体４の配線器具取付部２１のねじ孔２１ａに螺着して配線器具を取付部材本体４に取り付けるものである。
【００２３】
また、配線器具取付部材にボックス機能を具備させる場合には、背面カバー６と取付部材本体４を別々に壁開口に挿入し、壁裏側で背面カバー６のカバー取付部６１を取付部材本体４の被取着部４１に嵌め込んで背面カバー６を取付部材本体４に取り付け、その後で取付部材本体４の造営材取付部１を造営材に取り付けるものである。
【００２４】
以上のようにすることで、管保持部５を取付部材本体４とは別体として取付部材本体４に着脱自在としてあるため、管保持孔５４にて保持する電線管の種類，径，本数に応じて管保持部５を複数種類製造すれば、一種類の取付部材本体４を製造するだけで様々な電線管に対応できるようになって、汎用性のある配線器具取付部材とすることができるものであり、また、管保持部５に取着部５１を設けると共に取付部材本体４に被取着部４１を設けてあるので、管保持部５を取付部材本体４に容易に着脱できるものである。また、配線器具取付部材を壁開口に配設する際、取付部材本体４のみを壁開口に挿入した後で管保持部５を壁開口に挿入して取付部材本体４に取り付けられるので、管保持部５と取付部材本体４とが一体となったものと比べて壁開口を容易にくぐらせられると共に、電線管内を挿通する電線の接続が不要な場合は取付部材本体４のみを壁開口に配設するだけでよいため、施工性が良くなるものである。更に、配線器具取付部材にボックス機能を具備させる場合には、背面カバー６のカバー取付部６１を取付部材本体４の被取着部４１に取り付けるだけで、背面カバー６を取付部材本体４の開口部３の背面に配置してボックス機能を具備させることができ、この時、管保持部５を取り付けるために取付部材本体４に設けた被取着部４１を背面カバー６の取り付け部としても兼用できるものである。
【００２５】
次に、本発明の他の実施形態について、図６乃至図８に基いて説明する。本実施形態は、図１乃至図５に示す上実施形態と大略同じであるため、主に相違点についてのみ説明する。
【００２６】
本実施形態における管保持部５は、保持部本体５２に爪片５３ではなく円弧筒部５５を設けるものである。更に説明すると、本実施形態の電線管一本用の管保持部５の保持部本体５２は、図６（ｂ）に示すように、上実施形態の保持部本体５２においてその内部に前面視矩形の貫通穴５２ａを穿設し、前面視矩形の保持部本体５２外形の下辺両端より下方に向けて、内方に傾斜する傾斜面５１ａを有する取着部５１を突設したものである。そして貫通穴５２ａには、平面視で半周以上の円弧の管保持孔５４を有する円弧筒部５５を嵌め込んで固定してある。また、電線管二本用の管保持部５は、図６（ｃ）に示すように、概略で上記電線管一本用の管保持部５を接合した形状であるが、造営材取付部１に対応する端部と反対側端部の取着部５１は設けていないものである。
【００２７】
このようにすることで、上実施形態において爪片５３を保持部本体５２に二個設けるところを円弧筒部５５を一個設けるだけで管保持部５を構成することができるようになるものである。
【００２８】
上記のように、管保持部５の取着部５１が上実施形態と異なることで、取付部材本体４の被取着部４１及び背面カバー６のカバー取付部６１も異なるものである。更に説明すると、取付部材本体４に設ける被取着部４１は、上記管保持部５を取付部材本体４に取り付ける際に管保持部５の取着部５１に対応する取付部材の部位を、対応する取着部５１と同形状になるように切り欠いて設けてある。また、背面カバー６には、該背面カバー６を取付部材本体４に取り付ける際に取付部材本体４の横片２２に設けた被取着部４１のうちの中央の被取着部４１ａに対応する位置に、前面視で先端が平坦となった内向き矢印状のカバー取付部６１と、カバー取付部６１に隣接してスリット６２が設けてあり、スリット６２はカバー取付部６１を撓み易くするものである。このように背面カバー６を構成することで、背面カバー６を取付部材本体４の開口部３の背面に取り付ける際、取付部材本体４の背面側に背面カバー６を配置し、背面カバー６のカバー取付部６１を外側に撓ませて広げた状態で取付部材本体４側に近付け、背面カバー６を取付部材本体４の開口部３の背面に当接させてカバー取付部６１の撓みを戻し、カバー取付部６１を取付部材本体４の被取着部４１に嵌め込むことで背面カバー６を取付部材本体４の開口部３の背面に取り付けられるようになるものである。
【００２９】
以上のようにすることで、管保持部５を取付部材本体４とは別体として取付部材本体４に着脱自在としてあるため、管保持孔５４にて保持する電線管の種類，径，本数に応じて管保持部５を複数種類製造すれば、一種類の取付部材本体４を製造するだけで様々な電線管に対応できるようになって、汎用性のある配線器具取付部材とすることができるといったような上実施形態と同様の効果が得られ、更に、管保持部５を管保持孔５４と円弧筒部５５とで簡単に構成することも可能となる。
【００３１】
次に、本発明の更に他の実施形態について、図９乃至図２１に基づいて説明する。本実施形態は、図１乃至図８に示す実施形態と大略同じであるため、主に相違点についてのみ説明する。
【００３２】
本実施形態における管保持部５は、取付部材本体４の被取着部４１に取着された管保持部５の取着部５１が取付部材本体４から脱落するのを規制する脱落規制部７を設けるものである。図９及び図１０に本実施形態の電線管一本用の管保持部５を示す。この管保持部５は、図８に示す上実施形態の管保持部５と大略同様のもので、保持部本体５２に前面視矩形の前後方向に貫通する貫通穴５２ａを穿設し、前面視矩形の保持部本体５２の外形の下辺両端より下方に向けて、下端部が内方側に折曲する前面視Ｌ字状をしたスライド部５１ｂをそれぞれ突設してある。貫通穴５２ａには、平面視で円弧状をして内部側を管保持孔５４とする弧状保持部５６が設けてある。弧状保持部５６は、保持部本体５２の貫通穴５２ａの前面側に設けられる平面視の中心角６０°程の弧状をした前弧状部５６ａと、保持部本体５２の後端部の両側より後方側にそれぞれ連設される平面視の中心角６０°程の弧状をした後弧状部５６ｂとからなる。また、図１１に電線管二本用の管保持部５を示す。この電線管二本用の管保持部５は、図９及び図１０に示す（電線管一本用の）管保持部５を並べて一体に接合したもので、接合部においては略Ｌ字状のスライド部５１ｂが互いに背面合わせされた状態の略逆Ｔ字状に形成してある。なお、この管保持部５は、電線管として径２２のＣＤ管と径２２のＰＦ管を保持する保持部（特に図示せず）をそれぞれ形成してあるもので、図示はしないが径１６のＣＤ管と径１４又は１６のＰＦ管を保持する保持部及び、径１４のＣＤ管を保持する保持部を形成した管保持部５であってもよい。そして、このような管保持部５のスライド部５１ｂに脱落規制部７を設けるのであるが、これに先だって取付部材本体４の被取着部４１について説明する。
【００３３】
取付部材本体４は本実施形態においては図１２に示すように、上実施形態と大略同様のものであるが、取付部材本体４の上下端部の後面側に、先端が内方側に折曲する平面視略Ｌ字状をしたケーブル保持部４２を突設してある。これは、ケーブル保持部４２で商用電源を配線するためのＶＶＦケーブル等（特に図示せず）を挿通して仮保持させ、住宅内壁の表側からの結線作業が容易に行えるようにするものである。そして、取付部材本体４の上下端部に、管保持部５の前面視Ｌ字状をしたスライド部５１ｂがスライド嵌入される嵌入凹部４１ｂを穿設するものである。嵌入凹部４１ｂは、スライド部５１ｂが前後方向にスライド嵌入自在となるように、前面視における形状がスライド部５１ｂの前面視における形状とほぼ同形同大の切欠凹部として前方側より穿設してあり、この嵌入凹部４１ｂの後端部の底面は後述するがスライド部５１ｂの後端部５１ｃが当接する底面部４１ｃとなる。また、図１３に配線器具二連用の取付部材本体４を、図１４に配線器具三連用の取付部材本体４を示す。この配線器具二連用及び三連用の取付部材本体４は、図１２に示す（一連用の）取付部材本体４を並べて一体に接合したもので、接合部においては略Ｌ字状の嵌入凹部４１ｂが略逆Ｔ字状に形成してある。
【００３４】
この管保持部５を取付部材本体４に取着するには、図１５（ａ）に示すように、管保持部５のスライド部５１ｂを取付部材本体４の嵌入凹部４１ｂの前方側に配置し、スライド部５１ｂの後端部を嵌入凹部４１ｂにスライド嵌入していき、図１５（ｂ）に示すようにスライド部５１ｂの後端部５１ｃを嵌入凹部４１ｂの底面部４１ｃに当接させる。この時、スライド部５１ｂの嵌入凹部４１ｂへのスライド嵌入に伴って、スライド部５１ｂが突設される保持部本体５２の下面５２ｂが取付部材本体４の底面部４１ｃが形成される底壁部４１ｄの側端面４１ｅ上を摺動するものである。そして、取付部材本体４の嵌入凹部４１ｂにスライド嵌入された管保持部５のスライド部５１ｂが抜け落ちないようにするために、本実施形態のように管保持部５に上述した脱落規制部７を設けるものである。
【００３５】
脱落規制部７は図９に示すように、管保持部５に形成する挟持部７１として設けてある。挟持部７１は、スライド方向の先端側より取付部材本体４を挟持するリブ７１ａと、スライド方向の後端側より取付部材本体４を挟持する上述したスライド部の後端部５１ｃとからなるもので、このリブ７１ａとスライド部の後端部５１ｃとで取付部材本体４の底壁部４１ｄを挟持するものである。
【００３６】
また、リブ７１ａには、底壁部４１ｄを乗り越え易くするための傾斜誘導部７２が形成してある。
【００３７】
管保持部５のスライド部５１ｂを取付部材本体４の嵌入凹部４１ｂにスライド嵌入する際、上述したように保持部本体５２の下面５２ｂが取付部材本体４の底面部４１ｃが形成される底壁部４１ｄの側端面４１ｅ上を摺動するのであるが、下面５２ｂにリブ７１ａが突設してあるため、このリブ７１ａが底壁部４１ｄの側端面４１ｅ上に容易に乗り上げられるように、リブ７１ａのスライド方向の先端側の面を突設基部より先端側に行くに従ってスライド方向の後端側に傾斜する傾斜面となるように形成したものである。
【００３８】
このような脱落規制部７を設けた管保持部５を取付部材本体４に取着するには、上述したように、図１５（ａ）に示すように、管保持部５のスライド部５１ｂを取付部材本体４の嵌入凹部４１ｂの前方側に配置し、スライド部５１ｂの後端部を嵌入凹部４１ｂにスライド嵌入していくのであるが、この際に傾斜誘導部７２を設けてあるためリブ７１ａを底壁部４１ｄの側端面４１ｅ上に容易に乗り上げさせることができ、乗り上げたリブ７１ａを側端面４１ｅ上を摺動させて、図１５（ｂ）に示すように底壁部４１ｄの底面部４１ｃと反対側の面４１ｆに位置させて、このリブ７１ａとスライド部５１ｂの後端部５１ｃとで底壁部４１ｄを挟持するものである。
【００３９】
以上のような構成によれば、スライド部５１ｂを嵌入凹部４１ｂにスライド嵌入して取付部材本体４に着脱自在に取着した状態で、取付部材本体４を両側より挟持することで管保持部５が脱落するのを規制する脱落規制部７としての挟持部７１（即ちリブ７１ａとスライド部５１ｂの後端部５１ｃ）を形成したことで、被取着部４１として嵌入凹部４１ｂを形成した取付部材本体４に取着した取着部５１としてスライド部５１ｂを形成した管保持部５が脱落するのを規制、防止することが可能となる。
【００４０】
また更に、管保持部５には、被取着部４１に取着された管保持部５を取外すためのドライバ等の工具が挿入可能な取外し用溝８を管保持部５に穿設するものである。本実施形態では、取付部材本体４の底壁部４１ｄの側端面４１ｅに取外し用溝８としての段部を穿設するものである。このようにすることで、取付部材本体４に取着された管保持部５を取外す際、図１７に示すようにドライバ等の工具をこの取外し用溝８に挿入して矢印の方向に倒して管保持部５及び取付部材本体４を撓ませて、底壁部４１ｄの面４１ｆに位置して底壁部４１ｄを挟持しているリブ７１ａを側端面４１ｅに容易に乗り上げさせることが可能となる。
【００４１】
ところで、図１１に示す電線管二本用の管保持部５は、取着される取付部材本体４の開口部３の開口方向がスライド方向となるように取着部５１としてのスライド部５１ｂを形成した管保持部５を複数並列に一体形成したものであるが、更に、電線管二本用の管保持部５や電線管三本用の管保持部５のように一体形成された複数の管保持部５のうちの少なくとも一つの管保持部５ａが取付部材本体４の外側方に配置されるように取着可能な被取着部４１を取付部材本体４の上端部又は下端部に形成したものである。これは、図１８に示すように、一連用の取付部材本体４に形成してある二つの被取着部４１のうちの造営材Ｃに取り付けられる側と反対側の被取着部４１に、電線管二本用の管保持部５の造営材Ｃ側の取着部５１が取付け可能となったものである。このようにすることで、取付部材本体４の外側方に位置する管をこの取付部材本体４より突出する管保持部５ａで保持することが可能となる。また同様の例として、図１９に二連用の取付部材本体４に形成してある被取着部４１のうちの造営材Ｃに取り付けられる側と反対側端の被取着部４１に、電線管二本用の管保持部５の造営材Ｃ側の取着部５１を取付け可能とした例を、図２０に三連用の取付部材本体４に形成してある被取着部４１のうちの造営材Ｃに取り付けられる側と反対側端の被取着部４１に、電線管二本用の管保持部５の造営材Ｃ側の取着部５１を取付け可能とした例を示す。
【００４２】
また更に、上述した図１１に示す電線管二本用の管保持部５においては、片側が取付部材本体に取着された状態で他方の片側の管保持部に前記取付部材本体とは別体の取付部材本体の被取着部に取着可能に取着部を形成してある。これは、図２１に示すように、二連用の取付部材本体４ａに形成してある三つの被取着部４１のうちの造営材Ｃに取り付けられる側と反対側端の被取着部４１に電線管二本用の管保持部５ａの造営材Ｃ側の取着部５１を取付けると共に、この電線管二本用の管保持部５ａの造営材Ｃ側と反対側の取着部５１に、造営材Ｃに取り付けられた取付部材本体４ａとは別体の取付部材本体４ｂの被取着部４１が取着されるたものである。なお、図中のＤは電線管を示す。このようにすることで、造営材Ｃに取着された取付部材本体４ａに電線管二本用の管保持部５ａで別の取付部材本体４ｂを連結することが可能となる。
【００４３】
【発明の効果】
上記のように本発明の請求項１記載の発明にあっては、壁裏の造営材に取り付けるための造営材取付部と、配線器具を取り付けるための配線器具取付部を有し造営材取付部から連設される連設部と、造営材取付部及び連設部に囲まれる開口部とで大略枠状をなす取付部材本体を構成し、保持する電線管の種類又は径又は本数に応じた複数種類の管保持部に取着部を設けると共に取付部材本体に被取着部を設けて、前記複数種類のうちの任意の管保持部に設けた取着部を取付部材本体に設けた被取着部に着脱することで管保持部を取付部材本体に着脱自在に取り付けたので、管保持部を取付部材本体とは別体として取付部材本体に着脱自在に取り付けられるため、管保持部で保持する電線管の種類，径や本数に応じて管保持部を複数種類製造することで、一種類の取付部材本体を製造するだけで様々な電線管に対応できて汎用性のある配線器具取付部材とすることができ、また、配線器具取付部材を壁裏の造営材に取り付けて壁開口に配置する際、取付部材本体と管保持部とを別々に壁開口に挿入可能となって施工性が良くなるものである。
【００４４】
また請求項２記載の発明にあっては、上記請求項１記載の発明の効果に加えて取付部材本体の開口部の背面側に背面カバーを設けたので、背面カバーを取付部材本体の背面に設けて配線器具取付部材を前面側が開口した略箱状とすることができて、配線器具取付部材にボックス機能を具備させることが可能となるものである。
【００４５】
また請求項３記載の発明にあっては、上記請求項２記載の発明の効果に加えて取付部材本体に設けた前面視台形状の前後方向に貫通した切り欠きからなる被取着部に背面カバーを着脱自在とする前記切り欠きと同形状のカバー取付部を背面カバーに設けたので、背面カバーを取付部材本体の開口部の背面側に配置できて、必要な場合に容易に配線器具取付部材にボックス機能を具備させることが可能となるものである。
【００４７】
また請求項４記載の発明にあっては、上記請求項１乃至３のいずれかに記載の発明の効果に加えて、管保持部に取付部材本体に対してスライド嵌入自在なスライド部を突設して取着部を形成すると共にリブを設け、取付部材本体に前記スライド部がスライド嵌入される嵌入凹部を前方側より切欠することでその底面がスライド部の後端部が当接する底面部となる被取着部を形成し、被取着部に取着した取着部がスライド方向に移動して抜けるのを防止するため取付部材本体の前記底面部を前面とする底壁部をリブとスライド部の後端部とで両側より挟持する挟持部を脱落規制部として管保持部に設けたので、スライド部を嵌入凹部にスライド嵌入して取付部材本体に着脱自在に取着した状態で、取付部材本体を挟持部で両側より挟持することで管保持部が脱落するのを規制，防止することが可能となる。
【００４８】
また請求項５記載の発明にあっては、上記請求項４記載の発明の効果に加えて、管保持部に形成したスライド方向の先端側の挟持部に該挟持部が取付部材本体の挟持する部分を乗り越え易くするための傾斜誘導部を設けたので、スライド部を嵌入凹部にスライド嵌入していく際に、傾斜誘導部によってリブを嵌入凹部を形成する壁部に容易に乗り上げさせることが可能となる。
【００４９】
また請求項６記載の発明にあっては、上記請求項４又は５記載の発明の効果に加えて、被取着部に取着された管保持部を取り外すためのドライバ等の工具が管保持部と取付部材本体との間に前方から挿入可能な取外し用溝を管保持部又は取付部材本体に穿設したので、取付部材本体に取着された管保持部を取外す際、ドライバ等の工具を取外し用溝に挿入して管保持部及び取付部材本体を撓ませて、取付部材本体を挟持しているリブを側端面に容易に乗り上げさせることが可能となる。
【００５０】
また請求項７記載の発明にあっては、上記請求項４乃至６のいずれかに記載の発明の効果に加えて、スライド方向が取着される取付部材本体の開口部の開口方向となるように取着部が形成された管保持部を複数並列に一体形成し、該一体形成された複数の管保持部のうち少なくとも一管保持部が取付部材本体の外側方に位置し残りの管保持部が取付部材本体の幅内に納まるように位置する時に、前記残りの管保持部に取着部が形成されていると共に該取着部の位置に対応する取付部材本体の上端部又は下端部に被取着部を形成したので、取付部材本体の外側方に位置する電線管をこの取付部材本体より突出する管保持部で保持することが可能となる。
【００５１】
また請求項８記載の発明にあっては、上記請求項７記載の発明の効果に加えて、前記一管保持部に取着部を形成すると共に、該取着部の位置に対応する、前記取付部材本体に並べられた別体の取付部材本体の上端部又は下端部に被取着部を形成したので、造営材に取着された取付部材本体に一体成形された複数の管保持部で別の取付部材本体を連結することが可能となる。
【図面の簡単な説明】
【図１】本発明の一実施形態を示し、（ａ）は取付部材本体を前方から見た斜視図であり、（ｂ）は径が１４又は１６のＣＤ管二本用の管保持部を前方から見た斜視図であり、（ｃ）は径が１４又は１６のＣＤ管一本用の管保持部を前方から見た斜視図である。
【図２】同上の実施形態の背面カバーを前方から見た斜視図である。
【図３】同上の実施形態の他の管保持部を示し、（ａ）は径が２２のＣＤ管二本用の管保持部を前方から見た斜視図であり、（ｂ）は径が２２のＣＤ管一本用の管保持部を前方から見た斜視図である。
【図４】同上の実施形態の更に他の管保持部を示し、（ａ）は径が１４又は１６のＰＦ管二本用の管保持部を前方から見た斜視図であり、（ｂ）は径が１４又は１６のＰＦ管一本用の管保持部を前方から見た斜視図である。
【図５】同上の実施形態の更に他の管保持部を示し、（ａ）は径が２２のＰＦ管二本用の管保持部を前方から見た斜視図であり、（ｂ）は径が２２のＰＦ管一本用の管保持部を前方から見た斜視図である。
【図６】本発明の他の実施形態を示し、（ａ）は取付部材本体を前方から見た斜視図であり、（ｂ）は電線管一本用の管保持部を前方から見た斜視図であり、（ｃ）は電線管二本用の管保持部を先方から見た斜視図である。
【図７】同上の実施形態の背面カバーを前方から見た斜視図である。
【図８】同上の実施形態において管保持部を取付部材本体に取り付けた状態図である。
【図９】本発明の他の実施形態における電線管一本用の管保持部を示し、（ａ）は側断面図であり、（ｂ）は背面図であり、（ｃ）は平面図である。
【図１０】同上の斜視図である。
【図１１】同上の実施形態における電線管二本用の管保持部の斜視図である。
【図１２】同上の実施形態における一連用の取付部材本体の斜視図である。
【図１３】同上の実施形態における二連用の取付部材本体の斜視図である。
【図１４】同上の実施形態における三連用の取付部材本体の斜視図である。
【図１５】（ａ）（ｂ）は同上の実施形態において管保持部を取付部材本体に取着する際の説明図である。
【図１６】同上において管保持部を取付部材本体に取着した状態の斜視図である。
【図１７】同上においてドライバ等の工具で管保持部を取付部材本体から取外す際の説明図である。
【図１８】同上の実施形態において、電線管二本用の管保持部の片側が取付部材本体の外側方に位置するように取着できる被取着部を形成した一連用の取付部材本体に管保持部を取着した状態の説明図である。
【図１９】同上の実施形態において、電線管二本用の管保持部の片側が取付部材本体の外側方に位置するように取着できる被取着部を形成した二連用の取付部材本体に管保持部を取着した状態の説明図である。
【図２０】同上の実施形態において、電線管二本用の管保持部の片側が取付部材本体の外側方に位置するように取着できる被取着部を形成した三連用の取付部材本体に管保持部を取着した状態の説明図である。
【図２１】同上の実施形態において、造営材に取着した三連用の取付部材本体に電線管二本用の管保持部で別の三連用の取付部材本体を連結した状態の説明図である。
【図２２】従来の配線器具取付部材を壁裏の造営材に取り付けた状態図である。
【符号の説明】
１  造営材取付部
２  連設部
２１  配線器具取付部
３  開口部
４  取付部材本体
４１  被取着部
５  管保持部
５１  取着部
【図１】
0004720039.tif 000002
【図２】
0004720039.tif 000003
【図３】
0004720039.tif 000004
【図４】
0004720039.tif 000005
【図５】
0004720039.tif 000006
【図６】
0004720039.tif 000007
【図７】
0004720039.tif 000008
【図８】
0004720039.tif 000009
【図９】
0004720039.tif 000010
【図１０】
0004720039.tif 000011
【図１１】
0004720039.tif 000012
【図１２】
0004720039.tif 000013
【図１３】
0004720039.tif 000014
【図１４】
0004720039.tif 000015
【図１５】
0004720039.tif 000016
【図１６】
0004720039.tif 000017
【図１７】
0004720039.tif 000018
【図１８】
0004720039.tif 000019
【図１９】
0004720039.tif 000020
【図２０】
0004720039.tif 000021
【図２１】
0004720039.tif 000022
【図２２】
0004720039.tif 000023